(57)【特許請求の範囲】
【請求項１】
パチンコ台の下皿の下方に設けられたホッパは、
パチンコ台の下皿から排出される当り玉を受ける貯留部、
及び該貯留部の貯留空間の底面をなす可動プレート、
及び該可動プレートを貯留位置としての降下位置と非貯留位置としての上昇位置との間を上下させる上下昇降装置、
及び該上下昇降装置をパチンコ台の前面側からスライド操作可能な操作手段、
及び非貯留位置において当該非貯留位置を保持する位置保持手段、
を備え、
ホッパで受けた当り玉を計数通路ユニットへ移送するようにした貯留玉受皿であって、
ホッパは、計数通路ユニットに連通するガイド部と、該ガイド部と貯留部とを区画する棚部と、を有し、
可動プレートは、貯留部の平面形状に整合させ、当該可動プレートは、操作手段のスライド操作に伴って棚部の上面より低い降下位置と棚部の上面と同じあるいは僅かに高い上昇位置との間で上下昇降し、
降下位置で当り玉を貯留させ、操作手段によって、貯留させた玉を棚部からガイド部、該ガイド部から計数通路ユニットへと移送させて排出させる玉量を操作スライド量に応じて任意に調整させることと、
上昇位置に可動プレートをロックさせ、下皿から排出される当り玉はすべて可動プレートを転がせ、棚部からガイド部、該ガイド部から計数通路ユニットへ移送させ、貯留させずに排出させること、の両操作を可能にしたことを特徴とする貯留玉受皿。
【発明の詳細な説明】
【技術分野】
【０００１】
本発明は、パチンコ台の下皿に排出された当り玉を一時貯留する貯留玉受皿に関する。
【背景技術】
【０００２】
従来、パチンコ店では計数機を店内要所に配置し、遊技客が獲得した当り玉を箱で計数機へ運んで計数させるようにしていたが、近時、個別のパチンコ台ごとに玉計数機を設置する提案がなされている。これは、パチンコ台の下皿に貯留された当り玉を一旦ホッパに受けて、センサ部へ転送するものである。
例えば、特許第３５７７８５０号公報に提案されたものは、下皿の下方にホッパを設け、台間ユニットとホッパ間をセンサを設置した計数通路ユニットで接続している。下皿に設けられたシャッタを開くことにより下皿からホッパへ排出された当り玉は、計数通路ユニットへ案内されて内部のセンサで計数されたあと、台間ユニットを経てパチンコ台の内部機構へ戻される。
【０００３】
これにより、遊技客は当り玉をパチンコ台から離れた計数機まで運ばなくても、遊技場所のパチンコ台前に居たままで計数を受けることができる。計数結果は例えば預かり玉として表示されたり、台間ユニットに差し込まれた顧客カードに記録される。
また、ホッパは浅い皿形状をしているので、計数通路で玉詰まりや故障が生じたときには、限定された量ではあるが当り玉を一時的に貯留することができる。
【特許文献１】特許第３５７７８５０号公報
【発明の開示】
【発明が解決しようとする課題】
【０００４】
ところで、遊技客のなかには獲得した当り玉を誇示したいという欲求をもつ者も多いが、当り玉を箱に移して計数機まで運ぶシステムの場合には、当り玉で埋まった箱を足元に積み上げて誇示することができた。
しかし、上記従来のホッパでは玉計数機に玉詰まりや故障が生じたときに浅いホッパに一時的に貯留されることはあるが、通常は下皿から排出された当り玉は直ちに計数通路ユニットへ導かれて計数され、ホッパに貯留されることはない。
このため、遊技客まわりにある当り玉はパチンコ台の比較的浅い上皿および下皿に貯留されるわずかな量しかなく、獲得した当り玉を誇示したいという欲求をもつ遊技客にとっては十分な満足を得る機会が与えられないという問題が生じる。
【０００５】
したがって本発明は、上記の問題にかんがみ、遊技客の好みに応じて相当量の当り玉（以下、単に玉とも言う）を貯留可能とするとともに、必要時には直ちに計数通路ユニット等へ排出できるようにした貯留玉受皿を提供することを目的とする。
【課題を解決するための手段】
【０００６】
このため、本発明にかかる貯留玉受皿は、ホッパが、通路ユニットに連通するガイド部
と、下皿から排出される玉を受ける貯留部と、を有し、貯留部は、当該貯留部を、玉を貯留する貯留位置と、玉をガイド部へ移動する非貯留位置と、の間で移動可能な移動手段を備えているものとした。
【０００７】
貯留部は、貯留空間の底面をなす可動プレートを有し、移動手段としては、可動プレー
トを、貯留位置として降下位置と、非貯留位置として上昇位置と、の間を上下させる上下昇降装置とするのが好ましい。
また、移動手段にはパチンコ台の前面側から操作可能な操作手段を付設するのがよい。
さらに、移動手段は、上記非貯留位置において当該非貯留位置を保持する位置保持手段
を有することが望ましい。
【発明の効果】
【０００８】
本発明によれば、貯留部が玉を貯留する貯留位置と、玉をガイド部へ移動する非貯留位置と、の間で移動可能であるから、貯留部を貯留位置とすることにより下皿に加えてホッパの貯留部にも相当量の玉を貯留して、当り玉を誇示したいという欲求を満足させることができるとともに、必要に応じて当り玉を計数したいときなどには、貯留部を非貯留位置とすることにより速やかに貯留部内の玉をガイド部から通路ユニットへ送り込むことができる。
【０００９】
また、貯留部が可動プレートを有し、移動手段として可動プレートを上下させる上下昇降装置を用いた場合には、可動プレートの上下により容易に貯留部の容量を大きく変化させることができ、可動プレートを降下位置にしたときにとくに多量の玉を貯留することができる。
さらに、移動手段にパチンコ台の前面側から操作可能な操作手段を付設すれば、遊技中のパチンコ台に向かったままで貯留部を貯留位置あるいは非貯留位置に移動させることができる。
さらにまた、非貯留位置を保持する位置保持手段を有する場合には、玉を通路ユニットへ送り込む間でも、遊技客が非貯留位置の保持操作を続ける必要から解放される。
【発明を実施するための最良の形態】
【００１０】
次に、本発明の実施の形態について説明する。
図１は実施の形態にかかる貯留玉受皿が取り付けられたパチンコ台を示す図、図２はそのパチンコ台貯留玉受皿部分を拡大して示す外観斜視図である。
パチンコ台８０は前面下部に上皿８１とその下に下皿８２を備えている。
貯留玉受皿１は、パチンコ台の前面において下皿８２の下方に配置され、下皿８２から排出される玉を受けるホッパ２を備えて、内部に不図示のセンサを備える計数通路ユニット３を介して台間ユニット８５に接続されている。ホッパ２と計数通路ユニット３とでパチンコ台玉計数機が構成されている。
【００１１】
ホッパ２は、ケース５の全周を囲む側壁６の内側に、パチンコ台８０前面に沿って左右方向に延びるガイド部１０と、その手前側に同様に左右に延びる貯留部２０とが区画され、ガイド部１０と貯留部２０との間には上面が水平の棚部１６が設けられている。
ホッパ２の左右方向一端（図では左端）において、ガイド部１０と棚部１６は貯留部２０よりも短くオフセットしており、このオフセット部分における貯留部２０とパチンコ台８０との間のスペースに、計数通路ユニット３が配置されている。
【００１２】
ホッパ２のガイド部１０は、その全長にわたって図中右端から左端に向けて低くなるように傾斜した複数本のレール１２を備え、ガイド部１０の左端の側壁には計数通路ユニット３の内部通路と連通する開口１４が設けられている。レール１２の上端の高さは右端において棚部１６の上面と同レベルかわずかに低く設定されている。
本実施の形態ではレール１２は３本で、各レール１２の間隔は玉の径よりも小さく設定され、玉はいずれか２本のレール上を左端へ向かって転動するようになっており、２組の転動路が形成されていることになる。
なお、２組の転動路に対応して、計数通路ユニット３内も２組の図示しない玉通路が設けられ、各玉通路に玉の通過を検知するセンサが設置されている。
【００１３】
ホッパの貯留部２０は、当該貯留部の平面形状に整合した可動プレート３０を備える。
可動プレート３０は後掲の図３、図６に示すように、上面が棚部１６側へ向かって低くなるように傾斜している。そして、後述する上下昇降装置によりこの可動プレート３０を、図２に示すように棚部１６の上面よりも低い状態とした降下位置と、図３に示すように可動プレート３０上面の棚部１６側の縁が棚部１６の上面と同じ高さあるいはわずかに高くした上昇位置との間で上下昇降可能としている。なお、図３には簡単のため台間ユニットを省略している。
【００１４】
以下、貯留部２０における上下昇降装置について詳細に説明する。
まず、上下昇降装置５０が装備される対象部位について説明する。
図４は貯留部２０の長手方向の断面を示す縦断面図である。
ホッパ２のケース５は樹脂製で、上下２分割された上ケース体４０と下ケース体４５を結合して形成されている。上ケース体４０は下ケース体４５とともに側壁６を形成しているが、上ケース体４０はその上縁から折り返して下ケース体４５内部まで延び、側壁の内壁６ａを形成している。
ケース５の内壁６ａの上縁から所定範囲には、玉との衝突音を防止するためのラバープレート７が全周にわたって取り付けられている。また、可動プレート３０の上面にも同様にラバープレート７が取り付けられている。
【００１５】
可動プレート３０は樹脂製で、その周縁にフランジ３２を有している。フランジ３２は、棚部１６と対向する側の辺を除いて、一旦上方に反ったあと、側壁の内壁６ａに沿って下方へ延び、棚部１６と対向する側の辺では上方に反ることなく下方へ延びている。
フランジ３２の周方向複数位置には、外方へ突出するガイドピン３３が一体に形成されている。そして、側壁の内壁６ａには、ガイドピン３３がスライド可能なガイド溝４２が上下方向に設けられている。
【００１６】
下ケース体４５は底壁４６を有し、底壁４６上に左右に離間させて、それぞれ底壁の幅方向略中央にブロック部４８を膨出させている。ブロック部４８はその幅方向端面が垂直かつ貯留部２０の長手方向に平行であり、当該端面にピン４９を備えている。
可動プレート３０の裏面にも、左右方向においてブロック部４８と対応する位置に、ピン穴３６（後掲の図９参照）を備える支持ブロック部３５が一体成型されている。
なお、後掲の図５に示すように、レール１２を含むガイド部１０は下ケース体４５に一体成型されている。
【００１７】
図４を参照して、上下昇降装置５０は以下のように構成されている。
一端にピン５１を、他端にピン穴５２（後掲の図７、図９参照）を備える同一形状のリンクアームＡ、Ｂがそれぞれピン穴５２をブロック部４８のピン４９に支持されて同方向に傾斜して設けられるとともに、それぞれ他方のピン５１を可動プレート３０の裏面に一体に形成されたスライドガイド３８に係合させてある。
【００１８】
リンクアームＡの両端のピン５１とピン穴５２間の中央には、貫通穴５４が設けられ、リンクアームＣから延びる連結ピン５７が貫通穴５４に挿し込まれて、リンクアームＡ、Ｃが互いに回動可能に連結されている。
リンクアームＢの両端のピン５１とピン穴５２間の中央にも、貫通穴５４が設けられ、リンクアームＤから延びる連結ピン５７が貫通穴５４に挿し込まれて、リンクアームＢ、Ｄが互いに回動可能に連結されている。
【００１９】
リンクアームＣ、ＤはリンクアームＡ、Ｂと同一長さで、それぞれ両端に連結ピン５７と反対方向に延びるピン５５、５６を備えている。ピン５５、５６間の距離はリンクアームＡ、Ｂにおけるピン５１とピン穴５２間の距離と同一である。
連結ピン５７は、両端のピン５５、５６間の中央に設けられている。連結ピン５７は丸軸の先端に直径線上外方へ延びる突起５８を備える。
リンクアームＡ、Ｂの貫通穴５４は連結ピン５７の丸軸と突起５８の断面に整合する形状を有し、突起５８の断面に整合する部分をリンクアームＡ、Ｂのそれぞれ長手方向にそわせている。
【００２０】
これにより、連結ピン５７先端を貫通穴５４に整合させて貫通させた後、リンクアームＡをリンクアームＣに対して回動させ、リンクアームＡ、Ｃをクロス状に交叉させると、連結ピン５７の突起５８が貫通穴５４との整合位置からずれて、リンクアームＡに対して抜け止めされる。リンクアームＢ、Ｄにおいても同様に連結ピン５７はリンクアームＢに対して抜け止めされる。
【００２１】
リンクアームＣ、Ｄのそれぞれ高位置端になる一方のピン５５が可動プレート３０の支持ブロック部３５のピン穴３６に支持される。
リンクアームＣ、Ｄのそれぞれ低位置端になる他方のピン５６は貯留部２０の長手方向に延びるリンクアームＥの両端に回動可能に連結し支持されている。
リンクアームＥは底壁４６上をスライドするが、リンクアームＥが支持するリンクアームＣ、Ｄのピン５６の位置は、リンクアームＡ、Ｂを支持するブロック部４８のピン４９と同一高さになるように設定されている。
【００２２】
底壁４６上の右端側にはスライドガイド６０が一体成型して設けられ、リンクアームＥを貫通して突出したリンクアームＤのピン５６の先端を貯留部２０の長手方向に案内する。また、スライドガイド６０は、可動プレート３０の下端位置（降下位置）を規定するため、右端にピン５６の先端と当接可能なストッパ６１を有している。
底壁４６上の左端側にも、リンクアームＥを貫通して突出したリンクアームＣのピン５６の先端を貯留部の長手方向に案内するスライドガイド６０が設けられている。
【００２３】
図５は可動プレート３０を取り外してホッパ２内の上下昇降装置５０を正面斜め上から見た斜視図、図６は可動プレート３０を取り付けた上下昇降装置をケース５から抜き出して示す斜視図、図７は可動プレートを取り外した上下昇降装置をケースから抜き出して示す斜視図、図８は可動プレートを取り付けた上下昇降装置の側面図である。
上述した各リンクアームＡ〜Ｅは樹脂製で、とくに図５、図７に示すように、それぞれ幅方向において対をなす２部材からなっており、一対の各部材は幅方向に対称である。
【００２４】
すなわち、リンクアームＡ、Ｂは、それぞれ２部材Ａ１およびＡ２、Ｂ１およびＢ２が連結部６５で連結されて一体成型されている。連結部６５は前述の連結ピン５７と干渉しないように、貫通穴５４からピン穴５２寄りに設定されている。
リンクアームＣ（Ｃ１、Ｃ２）、Ｄ（Ｄ１、Ｄ２）はそれぞれリンクアームＡ（Ａ１、Ａ２）、Ｂ（Ｂ１、Ｂ２）の幅方向外側に重ねられている。
なお、各リンクアームが備えるピンや連結ピンは、いずれも当該リンクアームと一体成型されているものである。
【００２５】
図９はリンクアームＡの低位置端とブロック部４８の連結部分、およびリンクアームＣの高位置端と支持ブロック部３５の連結部分を示す一部破断側面図である。
リンクアームＡ１のピン穴５２は当該ピン穴の径より小さい幅のスリット５３により開いており、このスリット部分からブロック部４８のピン４９に押し込んで嵌めこむものとなっている。リンクアームＡ２側も同様である。
また、可動プレート３０の支持ブロック部３５のピン穴３６も、ピン穴の径より小さい幅のスリット３７により開いており、リンクアームＣ１のピン５５をこのスリット部分から押し込んでピン穴３６に嵌めこむ。リンクアームＣ２側も同様である。
リンクアームＢ（Ｂ１、Ｂ２）とブロック部４８、リンクアームＤ（Ｄ１、Ｄ２）と支持ブロック部３５の各連結部分も同様である。
また、同図に示すように、リンクアームＥ（Ｅ１、Ｅ２）の、リンクアームＣのピン５６と連結する穴も同様にスリットにより開いている。
【００２６】
図５、図７に示すように、リンクアームＥは、リンクアームＣ（Ｃ１、Ｃ２）、Ｄ（Ｄ１、Ｄ２）の幅方向外側に重ねられる２部材Ｅ１およびＥ２を連結板部６７でつないで、一体成型されている。
連結板部６７には開口６８が設けられ、この開口領域内にラッチ機構７０が配置されている。
ラッチ機構７０のキーパー７２が左方に向いてブラケット７４（図４参照）を介して連結板部６７に取り付けられている。このキーパー７２に対向させて、下ケース体４５の底壁４６にブラケット７３（図４参照）を介してラッチ本体７１が取り付けられている。
【００２７】
ラッチ機構７０はキーパー７２をラッチ本体７１に押し込むことによりロックし、ロック時と同方向にラッチ本体側へ再度押し込むことによりロック解除されるプッシュロック・プッシュオープンタイプである。
なお、ラッチ本体７１とキーパー７２からなるラッチ機構７０が、発明における位置保持手段を構成している。
開口６８はリンクアームＥがスライドするストローク内においてラッチ本体７１と干渉しないように設定されている。
また、幅方向に延びる金属製のジョイントレバー７６がリンクアームＥに結合され、ジョイントレバー７６の一端は下ケース体４５に設けた不図示の窓を貫通して、その先端につまみ７８が取り付けられる。
【００２８】
以上のように構成された貯留玉受皿１では、自由状態では、可動プレート３０の自重および可動プレート上に貯留される玉の重量により、図１０に示すように、可動プレートが下端の降下位置にある。
このとき、それぞれ連結ピン５７で連結されたリンクアームＡ、Ｃのリンク組およびリンクアームＢ、Ｄのリンク組は扁平状態に近く折りたたまれる。そして、リンクアームＣ、Ｄのピン５６が底壁のスライドガイド６０のストッパ６１に当接して、降下位置を規定している。
また、リンクアームＥおよびこれにジョイントレバー７６を介して結合されたつまみ７８は、先の図２に示されるように、そのストロークの右端位置にある。
この降下位置において、貯留部２０では棚部１６の上面を若干越える高さまで可動プレート３０上に玉を貯留することができる。
【００２９】
つぎに、棚部１６の上面を越える高さまで玉が貯留されていない状態でも、つまみ７８を左方へ手でスライドさせると、リンクアームＥを介してリンクアームＣ、Ｄの下側のピン５６がブロック部４８によるリンクアームＡ、Ｂの支持位置（ピン穴５２）に近づけられることにより、リンクアームＡ、Ｃのリンク組およびリンクアームＢ、Ｄのリンク組がそれぞれ立ち上がって、可動プレート３０を持ち上げる。
これにより、棚部１６を越えた高さに積みあがった可動プレート３０上の玉は棚部１６を経てガイド部１０のレール１２上へ転がり落ち、計数通路ユニット３へ排出される。つまみ７８を左方へスライドさせる量あるいはスライド位置を保持する時間によって、計数通路ユニット３へ排出される玉量を任意に調整することができる。
【００３０】
さらに、図３のように、つまみ７８を左方のストローク端までスライドさせると、リンクアームＥに取り付けられたキーパー７２がラッチ本体７１にキャッチされて、可動プレート３０が上昇位置にロックされる。この上昇位置では、可動プレート３０の上面が棚部１６の上面と面一または棚部上面より高くなっているので、下皿から貯留部２０、すなわち可動プレート３０上に排出される玉はすべて可動プレート３０上に止まることなく、傾斜した上面を転がって棚部１６からガイド部１０へ移送され、計数通路ユニット３で計数される。
【００３１】
なお、ラッチ機構７０はプッシュロック・プッシュオープンタイプであるから、つまみ７８を左方のストローク端で再度左方へ押すことによりロック解除され、可動プレート３０は降下位置へ戻る。
可動プレート３０の上昇、下降の際、可動プレートのガイドピン３３が側壁６の内壁に形成されたガイド溝４２にそってスライドするので、可動プレート３０は異常な姿勢をとることなく、滑らかに上下する。
【００３２】
本実施の形態では、上下昇降装置５０が発明における移動手段を構成し、その上昇位置が非貯留位置に、降下位置が貯留位置に該当する。
また、計数通路ユニット３が通路ユニットに該当する。
ジョイントレバー７６を介してリンクアームＥに結合されたつまみ７８が操作手段に該当する。そして、前述のようにラッチ機構７０が非貯留位置を保持する位置保持手段を構成する。
【００３３】
実施の形態は以上のように構成され、ホッパ２が計数通路ユニット３に連通するガイド部１０と、下皿から排出される玉を受ける貯留部２０とを有し、貯留部は、当該貯留部を玉を貯留する降下位置と玉をガイド部へ移動する非貯留の上昇位置との間で上下移動可能な上下昇降装置５０とを備えているものとした。
これにより、貯留部２０を降下位置にしたときには下皿に加えてホッパ２の貯留部にも相当量の玉を貯留して、当り玉を誇示したいという欲求を満足させることができる。
【００３４】
一方、必要に応じて当り玉を計数したいときには、貯留部２０を上昇位置とすることにより速やかに貯留部内の玉をガイド部１０へ移動させて計数通路ユニット３へ送ることができる。
なお、計数通路ユニット３側に玉詰まりや故障が生じたときにも、貯留部２０を降下位置にすることにより貯留容量を大きくできるから、従来のホッパの容量が少なくて直ぐ満杯になり、下皿から排出不可となって当り玉の下皿への排出も止まってしまうというような状況も回避される。
【００３５】
上下昇降装置５０はとくに貯留部２０の底面をなす可動プレート３０を上下移動させるので、容易に貯留部２０の容量を大きく変化させることができ、可動プレート３０を降下位置にしたときにとくに多量の玉を貯留することができる。
また、上下昇降装置５０には、そのリンクアームＥに結合されてケース５を貫通するジョイントレバー７６の先端につまみ７８を設けて、パチンコ台の前面側から操作可能となっているので、貯留部２０の上下移動操作が容易である。
【００３６】
また、上下昇降装置５０にはラッチ機構７０を付設して、可動プレート３０の上昇位置を保持することができるので、当り玉を計数したいときに何時までも手でつまみに力を加えておく必要がなく、遊技客を操作労力から解放できる。
【００３７】
ホッパ２は、ラッチ機構７０を取り付けるためのブラケットを除き、各ケース体４０、４５や上下昇降装置５０のリンクアームＡ〜Ｅなどすべての部品を樹脂製としたから、構造簡素、組立容易で、設計の自由度が高く、低コストで製作することができる。
さらには、上記ブラケットも省略して、ラッチ機構７０の部品をリンクアームやケースの底壁に直接固定することも選択可能である。
【００３８】
上下昇降装置５０の各リンクアームはそれぞれ幅方向に対称な２部材で構成したから、可動プレート３０を倒すことなく安定的に上下移動させることができ、ケース側壁６のガイド溝４２による可動プレートのガイドピン３３案内と相俟って、可動プレート３０の作動がとくに滑らかである。
また、可動プレート３０の上面は棚部１６側へ下るように傾斜しているので、可動プレート３０を上昇位置としたときには、他に特段の操作をしなくても、可動プレート上の玉のすべてをガイド部へ移すことができる。
【００３９】
なお、実施の形態ではホッパ２内の貯留部２０の底面をなす可動プレート３０のみを上下させて貯留部２０を非貯留位置あるいは貯留位置に移動させるものとしたが、本発明はこれに限定されない。例えば棚部１６を廃して貯留部２０とガイド部１０を一体に上下させ、上昇位置においてガイド部１０の開口１４が計数通路ユニット３の内部通路に連通するように構成するなど、その他適宜に変形可能である。
【図面の簡単な説明】
【００４０】
【図１】実施の形態にかかる貯留玉受皿が取り付けられたパチンコ台を示す図である。
【図２】実施の形態にかかる貯留玉受皿部分を拡大して示す外観斜視図である。
【図３】可動プレートを上昇位置とした状態を示す図２に対応する外観斜視図である。
【図４】貯留部の構成を示す縦断面図である。
【図５】可動プレートを取り外してホッパ内の上下昇降装置を示す斜視図である。
【図６】可動プレートを取り付けた上下昇降装置をケースから抜き出して示す斜視図である。
【図７】可動プレートを取り外した上下昇降装置をケースから抜き出して示す斜視図である。
【図８】可動プレートを取り付けケースから抜き出した上下昇降装置の側面図である。
【図９】リンクアームの連結部分を示す一部破断側面図である。
【図１０】可動プレートを降下位置とした状態を示す図４に対応する縦断面図である。
【符号の説明】
【００４１】
１    貯留玉受皿
２    ホッパ
３    計数通路ユニット
５    ケース
６    側壁
６ａ    内壁
７    ラバープレート
１０    ガイド部
１２    レール
１４    開口
１６    棚部
２０    貯留部
３０    可動プレート
３２    フランジ
３３    ガイドピン
３５    支持ブロック部
３６、５２    ピン穴
３７、５３    スリット
３８、６０    スライドガイド
６１    ストッパ
４０    上ケース体
４２    ガイド溝
４５    下ケース体
４６    底壁
４８    ブロック部
４９、５１、５５、５６    ピン
５０    上下昇降装置
５４    貫通穴
５７    連結ピン
５８    突起
６５    連結部
６７    連結板部
６８    開口
７０    ラッチ機構
７１    ラッチ本体
７２    キーパー
７３、７４    ブラケット
７６    ジョイントレバー
７８    つまみ
８２    下皿
８５    台間ユニット
Ａ、Ａ１、Ａ２、Ｂ、Ｂ１、Ｂ２    リンクアーム
Ｃ、Ｃ１、Ｃ２、Ｄ、Ｄ１、Ｄ２、Ｅ、Ｅ１、Ｅ２    リンクアーム
【図１】
0005079418.tif 000002
【図２】
0005079418.tif 000003
【図３】
0005079418.tif 000004
【図４】
0005079418.tif 000005
【図５】
0005079418.tif 000006
【図６】
0005079418.tif 000007
【図７】
0005079418.tif 000008
【図８】
0005079418.tif 000009
【図９】
0005079418.tif 000010
【図１０】
0005079418.tif 000011